(57)【特許請求の範囲】
【請求項１】
弁機構が設けられたピストンの往復動作によりシリンダ内に導入した空気を圧縮して吐出させる往復動形の圧縮機構と、中空部を有して該中空部の上部に前記圧縮機構を支持した主フレームと、前記主フレームに支持された電動機と、前記主フレームの中空部内で前記電動機の回転を往復運動に変換して前記ピストンに伝達する回転運動／往復運動変換機構と、前記電動機により駆動されて前記圧縮機構に冷却風を供給する送風ファンとを備え、前記主フレームに一体に形成されて一端が前記圧縮機構と反対側に開口させられた第１のカバー半部と、一端が前記第１のカバー半部側に開口させられて前記第１のカバー半部の開口部を閉じるように取り付けられた第２のカバー半部とにより電動機カバーが構成されて該電動機カバー内に前記電動機の構成部品が配置され、前記第１のカバー半部の内周には他の部材を嵌合させて軸線方向及び径方向に位置決めするインロー部が設けられている電動圧縮機において、
前記第２のカバー半部は、その他端側を閉じる端部壁から突出してその周壁部の内側を軸線方向に延びるボス部を有していて、その一端が前記インロー部に嵌合されて軸線方向及び径方向に位置決めされた状態で前記第１のカバー半部に固定され、
前記電動機は、前記第２のカバー半部のボス部内を通して前記電動機カバー内を軸線方向に延びるように設けられて、前記第１のカバー半部と前記主フレームの中空部との間を仕切る隔壁部に取り付けられた第１の軸受と前記第２のカバー半部の端部壁に取り付けられた第２の軸受とにより支持された回転軸と、開口部を前記第２のカバー半部側に向けた状態で前記回転軸に取り付けられたカップ状のロータヨークの内周に永久磁石を取り付けてなるロータと、前記ロータの内側に配置された環状の電機子鉄心のスロットに電機子コイルを巻装してなるステータとを備えたアウタロータ形のブラシレス直流電動機からなり、
前記ステータは前記環状の電機子鉄心を前記第２のカバー半部に設けられたボス部の外周に嵌合させた状態で取り付けれていることを特徴とする電動圧縮機。
【請求項２】
弁機構が設けられたピストンの往復動作によりシリンダ内に導入した空気を圧縮して吐出口から吐出させる往復動形の圧縮機構と、中空部を有して該中空部の上部に前記圧縮機構を支持する主フレームと、前記中空部と反対側に開口した状態で前記主フレームと一体に形成されて内周部に他の部材を嵌合させて軸線方向及び径方向に位置決めするためのインロー部が形成された第１のカバー半部と一端が前記第１のカバー半部側に開口させられて前記第１のカバー半部の開口部を閉じるように取り付けられる第２のカバー半部とからなる電動機カバーと、前記第１のカバー半部と前記主フレームの中空部との間を仕切る隔壁部に取り付けられた第１の軸受と、前記第２のカバー半部の他端側を閉じる端部壁に取り付けられた第２の軸受と、ロータ及びステータが前記電動機カバー内に配置されて、回転軸が前記第１の軸受及び第２の軸受により回転自在に支持される電動機と、前記主フレームの中空部内で前記回転軸の回転運動を往復運動に変換して前記ピストンに伝達する回転運動／往復運動変換機構とを備えた電動圧縮機の前記電動機の部分を組み立てる方法において、
前記第２のカバー半部には、その他端側を閉じる端部壁から突出してその周壁部の内側を軸線方向に延びるボス部を形成するとともに、該第２のカバー半部の軸線方向の一端を前記インロー部に嵌合し得る形状にしておき、
前記電動機としては、前記ロータがカップ状のロータヨークと該ロータヨークの内周に取り付けられた永久磁石とを備え、前記ステータが前記ロータの内側に配置される環状の電機子鉄心と該電機子鉄心のスロットに巻装された電機子コイルとを備えたアウタロータ形のブラシレス直流電動機を用い、
前記ロータヨークの開口部を前記第２のカバー半部の端部壁側に向けた状態で前記ロータを前記回転軸に取り付けるロータ取付け工程と、
前記ロータが取り付けられた回転軸を前記第１の軸受の内輪に圧入して該第１の軸受により支持させる回転軸取り付け工程と、
前記第２のカバー半部のボス部を前記環状の電機子鉄心の内周に嵌合させることにより前記ステータを前記ボス部に支持させるステータ取付工程と、
前記回転軸に摺動接触した状態で嵌合し、前記第２のカバー半部のボス部の内周に摺動接触した状態で嵌合するように形成された円筒状のスペーサを前記回転軸と前記第２のカバー半部のボス部の内周との間に介在させることにより前記ステータを前記ロータと軸線を共有した状態に保持しつつ前記第２のカバー半部のボス部を前記第１のカバー半部側に移動させて前記第２のカバー半部の一端を前記第１のカバー半部の内周のインロー部に嵌合させるステータ組み付け工程と、
前記第２のカバー半部を前記第１のカバー半部にボルトにより締結して前記電動機カバーを組み立てるカバー組み立て工程と、
前記スペーサを抜き取った後前記ボス部の内側に配置されている回転軸の他端に第２の軸受の内輪を圧力嵌めするとともに、該第２の軸受の外輪を前記第２のカバー半部の端部壁に設けた軸受保持孔に圧入して該第２の軸受を前記第２のカバー半部に取り付ける第２の軸受取付工程とを行って前記電動機の部分を組み立てることを特徴とする電動圧縮機の電動機の組立方法。
【発明の詳細な説明】
【０００１】
【発明の属する技術分野】
本発明は、電動機により駆動される圧縮機（コンプレッサ）に関するものである。
【０００２】
【従来の技術】
圧縮した空気を得る手段として、往復動形の電動圧縮機が多く用いられている。往復動形の電動圧縮機は、弁機構が設けられたピストンの往復動作によりシリンダ内に導入した空気を圧縮して吐出口から吐出させる往復動形の圧縮機構と、中空部を有して該中空部の上部に圧縮機構を支持した主フレームと、主フレームに支持された電動機と、主フレームの中空部内で電動機の回転を往復運動に変換してピストンに伝達する回転運動／往復運動変換機構とを備えていて、電動機の回転に伴ってピストンを往復動作させることによりシリンダ内の空気を圧縮して吐出させる。
【０００３】
図３は従来のこの種の圧縮機の構成例を示したもので、同図において１はアルミニュウム等の成型品または鋳造品からなっていて、中空部１ａを有する主フレーム、２は主フレーム１の中空部の上部に支持された圧縮機構である。
【０００４】
圧縮機構２は、軸線を垂直方向に向け、下端を中空部２内に開口させた状態で主フレーム１の上部に固定されたシリンダ２０１と、シリンダ２０１の上端の開口部を閉じるように取り付けられたシリンダヘッド２０２と、シリンダ２０１内に嵌合されたピストン２０３と、ピストン２０３に取り付けられた吸い込み弁機構２０４と、シリンダ２０１とシリンダヘッド２０２との間に設けられた吐出弁機構２０５とを備えていて、ピストン２０３が下降する際に吸い込み弁機構２０４を通してシリンダ２０１内に導入した空気を、ピストン２０３が上昇する際に圧縮して吐出弁機構２０５とシリンダヘッド２０２に設けられた吐出口２０６とを通して吐出させる。
【０００５】
主フレーム１の背面側には、筒状の第１のカバー半部１０１が一体に形成され、この第１のカバー半部１０１と、別体に形成された円筒状の第２のカバー半部３´とにより電動機カバー４´が構成されている。
【０００６】
第１のカバー半部１０１は、その軸線を圧縮機構のシリンダ２０１の軸線と直交させた状態で設けられていて、その一端１０１ａは圧縮機構２と反対側に開口させられている。第１のカバー半部１０１と主フレームの中空部１ａとの間は隔壁１０２により仕切られ、隔壁１０２の中央部には、ボス状の軸受保持部１０３が一体に形成されている。
【０００７】
第１のカバー半部１０１の軸線方向のほぼ中間部の内周には、他の部材を該カバー半部１０１の軸線方向から当接させる軸方向当接面１０１b1と、他の部材を該カバー半部の径方向から当接させる径方向当接面１０１b2とを有するインロー部（位置決め用嵌合部）１０１ｂが形成されている。
【０００８】
第２のカバー半部３´は、軸線方向の一端３a1´が開口したほぼ円筒状の周壁部３ａ´と該周壁部３ａ´の他端を閉じる端部壁３ｂ´とからなっていて、その端部壁３ｂ´の中央部にはボス部３ｃ´が形成され、ボス部３ｃ´の内側に、放射状に設けられた複数のリブ３ｄ´を介して軸受保持部３ｅ´が形成されている。第２のカバー半部３´の一端の内周部には、軸方向当接面３f1´と径方向当接面３f2´とを有するインロー部３ｆ´が形成されている。
【０００９】
第２のカバー半部３´はその軸線を第１のカバー半部１０１と一致させた状態で、かつその開口部を第１のカバー半部側に向けた状態で配置されて、ボルト５により第１のカバー半部１０１に締結されている。
【００１０】
主フレームの隔壁部１０２に設けられた軸受保持部１０３及び第２のカバー半部３´に設けられた軸受保持部３ｅ´にそれぞれ球軸受からなる第１の軸受６及び第２の軸受７が取り付けられ、これらの軸受により、電動機カバー４´の軸線方向に延びる回転軸８が支持されている。
【００１１】
電動機カバー４´内には、電動機１０のロータ１１とステータ１２とが収容されている。この例では、電動機１０としてコンデンサ形の単相誘導電動機が用いられていて、そのロータ１１は回転軸８に取り付けられている。電動機のステータ１２は、環状の電機子鉄心１３のスロットに主巻線と始動巻線とからなる電機子コイル１４を巻装したものからなっていて、電機子鉄心１３は、その軸線方向の一端を第１のカバー半部１０１の内周のインロー部１０１ｂに嵌合させ、他端を第２のカバー半部３´のインロー部３ｆ´に嵌合させることにより、電動機カバー４´の軸線方向及び径方向に位置決めされている。
【００１２】
第２のカバー半部３´の上部には電動機１０の始動巻線に直列に接続されるコンデンサ１５が取り付けられている。
【００１３】
回転軸８の一端は主フレーム１の中空部１ａ内を通して外部に導出されていて、該回転軸８の一端に圧縮機構２に冷却風を供給する送風ファン１６が取り付けられている。
【００１４】
主フレーム１の中空部内には、電動機の回転を往復運動に変換して圧縮機構２のピストン２０３に伝達する回転運動／往復運動変換機構１７が設けられている。図示の変換機構１７は、回転軸８に結合された回転体１８と、圧縮機構のピストン２０３に先端が連結され、後端部が球軸受１９を介して回転体１８に連結された連接棒２０とからなっている。
【００１５】
回転体１８は、円筒面状の外周面を有する主ホイール部１８ａと、重量バランスをとるために主ホイール部１８ａの軸線方向の一端に一体に形成されたバランスホイール部１８ｂとからなっていて、主ホイール部１８ａの外周面の中心軸に対して偏心した位置に設けられた軸嵌合孔に回転軸８を嵌合させた状態で、キー２１及びボルト２２により回転軸８に固定されている。
【００１６】
連接棒２０の後端部には、回転体１８の主ホイール部１８ａの外周を同心的に取り囲む環状部２０ａが形成されていて、該環状部２０ａの内周及び回転体１８の主ホイール部１８ａの外周にそれぞれ球軸受１９の外輪及び内輪が嵌合されている。
【００１７】
圧縮機構２と回転運動／往復運動変換機１７と送風ファン１６とを覆うようにファンカバー２３が取り付けられ、コンデンサ１５を覆うようにコンデンサカバー２４が取り付けれている。
【００１８】
図３に示した電動圧縮機においては、電動機１０の回転に伴って回転体１８が偏心回転運動を行い、回転体１８に軸受１９を介して連結されている連接棒２０が往復運動を行う。この連接棒の往復運動に伴ってピストン２０３がシリンダ２０１内を上下して圧縮された空気を吐出口２０６から吐出させる。
【００１９】
【発明が解決しようとする課題】
電動圧縮機は、無人の設置場所に設置されて長時間運転されることがしばしばある。例えば、図３に示した電動圧縮機は、魚貝類の養殖場に設置されて、海水中に空気を供給する用途に用いられている。魚貝類の養殖場などで用いられる電動圧縮機は空気タンクとともに設置されてその吐出口が圧力調整器と逆止弁とを介して空気タンクに接続され、空気タンク内の圧力を設定値以上に保つように間欠運転される。
【００２０】
この種の圧縮機においては、保守点検の周期をできるだけ長くすることが望ましいため、圧縮機構２や変換機構１７の耐久性を高くしておく必要があるのはもちろん、電動機１０としても、寿命の長いものを用いる必要がある。図３に示した例では、電動機１０としてブラシを持たない交流電動機を用いてその長寿命化を図っている。
【００２１】
このように交流電動機を用いた電動圧縮機を養殖場等で運転する場合には、電源として交流電圧を発生するエンジン発電機を必要とする。エンジン発電機を用いて電動圧縮機を運転する場合には、空気タンク内の圧力が設定値以下に低下する毎にエンジンを起動する必要があるため、エンジンが運転される頻度が高くなって１日当たりにエンジンから排出されるガスの量が多くなり、エンジンの排ガスによる大気汚染が無視できないという問題があった。またエンジンが頻繁に運転されると、エンジンが発生する騒音が周囲の環境を悪化させるおそれがあった。そこで、最近、この種の電動圧縮機をバッテリを用いて駆動することが検討されている。
【００２２】
また上記のような圧縮機では、運転中に圧縮機構２のシリンダ２０１やその内部に配置されたバルブ機構等の温度が上昇するため、バルブ機構等の寿命を長くするためには、運転を停止する際に送風ファン１６が惰性で回転する時間をできるだけ長くして、圧縮機構２を冷却することが望ましい。ところが、従来の電動圧縮機では、電動機１０としてイナーシャが小さいインナロータ形の電動機を用いていたため、電源が切られるとほぼ同時に送風ファン１６が停止してしまい、圧縮機構２の冷却が速やかに行われないという問題があった。
【００２３】
また従来の電動圧縮機では、コンデンサ形の単相誘導電動機を用いていたため、大形のコンデンサ１５を必要とし、該コンデンサ１５を覆うために大形のカバー２４を必要とした。そのため、圧縮機全体が大形になるという問題があった。
【００２４】
本発明の目的は、バッテリで運転することができるようにするとともに、電動機のイナーシャを大きくして、電動機の運転を停止する際に送風ファンを比較的長い時間回転させ続けることができるようにした電動圧縮機を提供することにある。
【００２５】
本発明の他の目的は、大形のコンデンサを用いる必要性をなくして、小形化を図ることができるようにした電動圧縮機を提供することにある。
【００２６】
本発明の更に他の目的は、電動機部分の組立を容易にすることができるようにした電動圧縮機の電動機の組立方法を提供することにある。
【００２７】
【課題を解決するための手段】
本発明は、弁機構が設けられたピストンの往復動作によりシリンダ内に導入した空気を圧縮して吐出口から吐出させる往復動形の圧縮機構と、中空部を有して該中空部の上部に圧縮機構を支持した主フレームと、該主フレームに支持された電動機と、主フレームの中空部内で電動機の回転を往復運動に変換してピストンに伝達する回転運動／往復運動変換機構とを備えた電動圧縮機を対象とする。
【００２８】
本発明が対象とする電動圧縮機では、主フレームに一体に形成されて一端が圧縮機構と反対側に開口させられた第１のカバー半部と、一端が第１のカバー半部側に開口させられて第１のカバー半部の開口部を閉じるように取り付けられた第２のカバー半部とにより電動機カバーが構成されていて、該電動機カバー内に電動機の構成部品が配置される。また第１のカバー半部の内周には他の部材を嵌合させて軸線方向及び径方向に位置決めするためのインロー部が形成されている。
本発明においては、第２のカバー半部の他端側を閉じる端部壁から突出して該第２のカバー半部の周壁部の内側を軸線方向に延びるボス部を設けておく。第２のカバー半部は、その一端を第１のカバー半部のインロー部に嵌合させて軸線方向及び径方向に位置決めした状態で第１のカバー半部に固定する。
【００２９】
電動機としては、カップ状のロータヨークの内周に永久磁石を取り付けてなるロータと、該ロータの内側に配置された環状の電機子鉄心のスロツトに電機子コイルを巻装してなるステータとを備えたアウタロータ形のブラシレス直流電動機を用いる。
【００３０】
電動機の回転軸は、第２のカバー半部のボス部内を通して電動機カバー内を軸線方向に延びるように設けて、第１のカバー半部と主フレームの中空部との間を仕切る隔壁部に取り付けられた第１の軸受と、第２のカバー半部の端部壁に取り付けられた第２の軸受とにより支持する。
【００３１】
電動機のロータは、そのヨークの開口部を第２のカバー半部側に向けた状態で回転軸に取り付ける。またステータは、その環状の電機子鉄心を第２のカバー半部に設けられたボス部の外周に嵌合させた状態で取り付ける。
【００３２】
上記のように、圧縮機構を駆動する電動機としてブラシを持たない直流電動機を用いると、図３に示した電動圧縮機と同様に、電動機の長寿命化を図ることができる。
【００３３】
また上記のようにブラシレス直流電動機を用いると、バッテリで圧縮機を駆動することができる。電動機をバッテリで駆動する場合、該バッテリをエンジン発電機の出力で充電することが考えられるが、エンジン発電機と圧縮機との間にバッテリを介在させると、圧縮機を運転する毎にエンジンを起動する場合に比べて、エンジンの運転頻度を低くすることができるため、１日の間にエンジンから大気中に排出されるガスの量を少なくして大気汚染を軽減することができる。
【００３４】
また、上記のように、圧縮機構を駆動する電動機としてアウタロータ形のブラシレス直流電動機を用いると、そのイナーシャを大きくすることができるため、圧縮機の運転を停止する際に電動機が惰性で回転する時間を長くして、その間に圧縮機構を冷却することができる。従って、圧縮機の運転を停止する際に、従来よりも長い時間の間送風ファンを回転させた状態に保って圧縮機構を冷却することができる。
【００３５】
更に、上記のように、電動機としてブラシレス直流電動機を用いると、大形のコンデンサを設ける必要がないため、圧縮機の小形化を図ることができる。
【００３６】
また上記のように、主フレームに一体に形成された第１のカバー半部の内周に形成されたインロー部に、第２のカバー半部の一端を嵌合させて位置決めする構造にすると、図３に示したような従来の電動圧縮機において電動機のステータを位置決めするために第１のカバー半部の内周に形成されていたインロー部をそのまま用いて第２のカバー半部を位置で決めすることができる。そのため、主フレーム１としては、従来の圧縮機で用いられていたものと同じものをそのまま用いることができ、主フレームを成型するために従来用いられていた金型をそのまま利用することができる。従って、高価な金型を作り直すことなく、電動機をコンデンサ形の単相誘導電動機からブラシレス直流電動機に変更することができる。
ブラシレス直流電動機のロータはその内周に永久磁石を備えていて、該永久磁石がステータの電機子鉄心に対向する構造になっているため、ロータを組み込む際には、該ロータの永久磁石が電機子鉄心に吸着されないように配慮する必要がある。ロータを組み込む際にその永久磁石が電機子鉄心に吸着されると、磁石に亀裂が入ったり、磁石が欠けたりするため、製品の歩留まりが悪くなる。
【００３７】
そこで本発明の組立方法では、ロータヨークの開口部を第２のカバー半部の端部壁側に向けた状態でロータを回転軸に取り付けるロータ取付け工程と、ロータが取り付けられた回転軸を第１の軸受の内輪に圧入して該第１の軸受により支持させる回転軸取り付け工程と、第２のカバー半部のボス部を環状の電機子鉄心の内周に嵌合させることによりステータをボス部に支持させるステータ取付工程と、回転軸に摺動接触した状態で嵌合し、第２のカバー半部のボス部の内周に摺動接触した状態で嵌合するように形成された円筒状（管状）のスペーサを回転軸と第２のカバー半部のボス部の内周との間に介在させることによりステータをロータと軸線を共有した状態に保持しつつ第２のカバー半部を第１のカバー半部側に移動させて第２のカバー半部の一端を第１のカバー半部の内周のインロー部に嵌合させるステータ組み付け工程と、第２のカバー半部を第１のカバー半部にボルトにより締結して電動機カバーを組み立てるカバー組立工程と、スペーサを抜き取った後ボス部の内側に配置されている回転軸の他端に第２の軸受の内輪を圧力嵌めするとともに、該第２の軸受の外輪を第２のカバー半部の端部壁に設けた軸受保持孔に圧入して該第２の軸受を第２のカバー半部に取り付ける第２の軸受取付工程とを行って電動機の部分を組み立てる。
【００３８】
上記のようにして電動機の部分を組み立てると、大掛かりな治具を用いることなく、簡単に製作できる円筒状（管状）のスペーサを第２のカバー半部のボス部と回転軸との間に介在させるだけで、ロータとステータとを同心的な位置関係に保ちながら、ロータを組み込むことができるため、電動機部分の組立を容易にすることができる。
【００３９】
【発明の実施の形態】
図３に示した圧縮機と同様の圧縮機に本発明を適用した場合の構成例を図１及び図２に示した。図１は図３と同様な縦断面図、図２は図１の圧縮機の電動機部分の右側面図である。図１において、図３の各部と同等の部分にはそれぞれ図３の各部に付した符号と同一の符号を付してある。
【００４０】
本発明においては、電動機３０として、ロータ３１と、該ロータの内側に配置されるステータ３２とを備えたアウタロータ形のブラシレス直流電動機が用いられ、その取付けを可能にするために、第２のカバー半部３の構造が変えられている。
【００４１】
第２のカバー半部３は、一端３a1が第１のカバー半部側に開口したほぼ円筒状の周壁部３ａと、周壁部３ａの他端を閉じる端部壁３ｂと、端部壁３ｂの中央部から突出して周壁部３ａの内側を軸線方向に延びるボス部３ｃを有し、その開口部側の一端の外径は、第１のカバー半部１０１の内周に形成されたインロー部１０１ｂの径方向当接面１０１b2に隙間なく嵌合し得る大きさに形成されている。第２のカバー半部３のボス部３ｃの端部壁３ｂ側の端部の内側には、第２の軸受７を保持し得るように内径が拡大された軸受保持孔３ｅが、外方に開口した状態で形成されている。第２の軸受７は球軸受からなっていて、軸受保持孔３ｅの内周にその外輪を圧力嵌めした状態で取り付けられる。
【００４２】
第２のカバー半部３は、その大部分を第１のカバー半部１０１の内側に挿入した状態で配置されて、その一端３a1が第１のカバー半部１０１の内周のインロー部１０１ｂに嵌合され、一端３a1の外周面及び軸方向端面がそれぞれインロー部１０１ｂの径方向当接面１０１b2及び軸方向当接面１０１b1に当接されて、径方向及び軸線方向に位置決めされる。第２のカバー半部３は、このように位置決めされた状態でボルト５（図２参照）により第１のカバー半部１０１に締結される。
【００４３】
図示のロータ３１は、鉄等の強磁性材料によりカップ状に形成されたロータヨーク３１Ａと、該ヨークの内周に取り付けられた永久磁石３１Ｂとを備えた公知のもので、ヨーク３１Ａの開口部を第２のカバー半部３側に向けた状態で回転軸８に取り付けられている。図示の例では、ヨーク３１Ａの底壁部の中央にボス部３１ａがリベット止めされていて、該ボス部３１ａが回転軸８に嵌着されている。
【００４４】
ステータ３２は、環状の電機子鉄心３２Ａと、該電機子鉄心３２Ａのスロットに巻装された電機子巻線３２Ｂとからなっていて、鉄心３２Ａの内周に第２のカバー半部３のボス部３ｃを嵌合させることにより、第２のカバー半部３に支持されている。このようにステータ３２を取り付けた状態で、鉄心３２Ａとロータ３１とが同心的に配置されて、鉄心３２Ａの外周に形成された磁極部が所定のギャップを介してロータ３１の磁極に対向させられるようになっている。
【００４５】
電動機３０はまた、ロータの回転角度位置に応じて電機子コイル３２Ｂに流す電流を制御する制御回路の構成部品を装着したプリント基板３３を備えている。プリント基板３３は、その中央部に、鉄心３２Ａの内側の孔と整合する孔を有していて、第２のカバー半部の端部壁３ｂに対向する鉄心３２の端面にスペーサ３４を介してネジ止めされている。プリント基板３３は、鉄心３２Ａが第２のカバー半部のボス部３ｃの外周に嵌合されて保持された際にステータ３２と第２のカバー半部の端部壁３ｂとの間に配置される。
【００４６】
第２のカバー半部３の端部壁３ｂにはまた、通気孔３ｈとコード引出し孔３ｉとが設けられ、コード引出孔３ｉと第２の軸受７とを覆うカバー板３５がネジ３６により端部壁３ｂの外面に固定されている。カバー板３５のコード引出孔３ｉに相応する位置に設けられた窓部にグロメット３７が取り付けられ、プリント基板３３に接続されたコード３８がグロメット３７を通して外部に導出されている。その他の点は図３に示した圧縮機と全く同様に構成されている。
【００４７】
上記のように、インナーロータ形の電動機のステータの鉄心を位置決めするために主フレーム１に一体に設けられていた第１のカバー半部のインロー部１０１ｂに第２のカバー半部３の一端を嵌合させて該第２のカバー半部３を第１のカバー半部１０１に対して位置決めするとともに、第２のカバー半部の端部壁に設けたボス部３ｃにステータの鉄心３２Ａを嵌合して位置決めするようにすると、従来の圧縮機に用いられていた主フレームをそのまま用いて、アウタロータ形の電動機を取り付けることができる。
【００４８】
また上記のようにアウタロータ形の電動機を用いると、そのロータのイナーシャが大きいため、圧縮機の運転を停止する際に、電動機が惰性で回転する時間を長くすることができる。従って、圧縮機の運転を停止する際に圧縮機構のシリンダ２０１に風が当る時間を長くすることができ、シリンダ内の弁機構の温度が上昇して、その部品が劣化するのを防ぐことができる。
【００４９】
上記の電動圧縮機を組み立てる際には、先ずロータヨークの開口部を第２のカバー半部３の端部壁３ｂ側に向けた状態でロータ３１を回転軸８に取り付けるロータ取付け工程を行い、次いで、ロータ３１が取り付けられた回転軸８を第１の軸受６の内輪に圧入して第１の軸受６により支持させる回転軸取り付け工程を行う。
【００５０】
ロータが取り付けられた回転軸８を第１の軸受６に支持させた後、第２のカバー半部３のボス部３ｃを環状の電機子鉄心３２Ａの内周に嵌合させることによりステータ３２をボス部３ｃに支持させるステータ取付工程を行う。
【００５１】
次いで、回転軸８に摺動接触した状態で嵌合し、第２のカバー半部３のボス部３ｃの内周に摺動接触した状態で嵌合するように形成された円筒状（管状）のスペーサ（図示せず。）を回転軸８の外周に嵌合させた後、該スペーサの外周に第２のカバー半部のボス部３ｃを嵌合させ、ステータ３２をロータ３１と軸線を共有した状態に保持しつつ第２のカバー半部３のボス部３ｃを主フレーム１側に移動させて第２のカバー半部３の一端を第１のカバー半部１０１の内周のインロー部１０１ｂに嵌合させるステータ組み付け工程を行う。
【００５２】
上記のように、回転軸８と第２のカバー半部３のボス部３ｃとの間にスペーサを介在させた状態で第２のカバー半部３を主フレーム１側に移動させるようにすると、スペーサとして長めのものを用いて、該スペーサを回転軸８の端部より突出させておくことにより、ステータ３２とロータ３１とを同心的な位置関係に保持しつつステータ３２を主フレーム１側に移動させて該ステータを組み込むことができる。従って、ステータ３２の鉄心３２Ａをロータの磁石３１Ｂに接触させることなく、ステータを組み込むことができ、電動機を組み立てる際に磁石３１Ｂが損傷するのを防ぐことができる。
【００５３】
上記のようにしてステータ３２をロータ３１の内側に配置した後、第２のカバー半部３を第１のカバー半部１０１にボルト５により締結して電動機カバーを組み立てるカバー組立工程を行う。
【００５４】
上記のようにして第のカバー半部３を第１のカバー半部１０１に取り付けた後、ボス部３ｃの外端部から突出したスペーサを抜き取り、ボス部３ｃの内側に配置されている回転軸８の他端に第２の軸受７の内輪を圧力嵌めするとともに、該第２の軸受７の外輪を第２のカバー半部３の端部壁に設けた軸受保持孔３ｅの内側に圧入して該第２の軸受７を第２のカバー半部３に取り付ける第２の軸受取付工程を行う。
【００５５】
次いで、カバー板３５を取付け、該カバー板３５に取り付けられたグロメット３７を通してコード３８を引き出して、電動機の部分の組立を完了する。
【００５６】
【発明の効果】
以上のように、本発明によれば、圧縮機構を駆動する電動機としてブラシを持たない直流電動機を用いたので、従来の圧縮機と同様に、電動機の長寿命化を図ることができる。
【００５７】
また本発明では、圧縮機構を駆動する電動機としてアウタロータ形のブラシレス直流電動機を用いるので、そのイナーシャを大きくして、圧縮機の運転を停止する際に電動機が惰性で回転する時間を長くすることができる。そのため圧縮機の運転を停止する際に、従来よりも長い時間の間送風ファンを回転させた状態に保って圧縮機構を冷却することができ、圧縮機構の構成部品の温度が上昇するのを抑制することができる。
【００５８】
更に、本発明では、電動機を回転させるために大形のコンデンサを設ける必要がないため、圧縮機の小形化を図ることができる。
【００５９】
また本発明では、主フレームに一体に形成された第１のカバー半部の内周のインロー部をそのまま用いて第２のカバー半部を位置で決めするようにしたので、従来の圧縮機で用いられていた主フレームをそのまま用いてブラシレス直流電動機用の電動機カバーを構成することができる。従って、高価な金型を作り直すことなく、電動機をブラシレス直流電動機に変更することができる。
【００６０】
また本発明の組立方法によれば、大掛かりな治具を用いることなく、簡単に製作できる円筒状（管状）のスペーサを第２のカバー半部のボス部と回転軸との間に介在させるだけで、ロータとステータとを同心的な位置関係に保ちながら、ロータを組み込むことができるため、電動機部分の組立を容易にすることができる利点がある。
【図面の簡単な説明】
【図１】本発明に係わる電動圧縮機の構成を示した縦断面図である。
【図２】図１の圧縮機の電動機部分の右側面図である。
【図３】従来の電動圧縮機の構成を示した縦断面図である。
【符号の説明】
１…主フレーム、１０１…第１のカバー半部、２…圧縮機構、２０１…シリンダ、２０３…ピストン、２０４…吸込み弁機構、２０５…吐出弁機構、３…第２のカバー半部、４…電動機カバー、６…第１の軸受、７…第２の軸受、８…回転軸、３０…ブラシレス直流電動機、３１…ロータ、３１Ａ…ロータヨーク、３１Ｂ…永久磁石、３２…ステータ、３２Ａ…環状の電機子鉄心、３２Ｂ…電機子コイル、３３…プリント基板。
【図１】
0004331852.tif 000002
【図２】
0004331852.tif 000003
【図３】
0004331852.tif 000004